(57)【特許請求の範囲】
【請求項１】
入力信号ＩＮを複数の周波数領域ごとに分割して音質の調整を行う音質調整装置であって、
前記入力信号ＩＮと、前記複数の周波数領域に対応した調整信号のうちの選択された減衰用調整信号とが入力され、前記入力信号ＩＮが前記各減衰用調整信号により減衰された信号を発生する減衰処理手段と、
前記減衰処理手段で発生された信号と、前記複数の周波数領域に対応した調整信号のうちの選択された増幅用調整信号が入力され、前記減衰処理手段で発生された信号を前記各増幅用調整信号で増幅した信号を発生し、出力信号として出力する増幅処理手段と、
前記減衰処理手段で発生された信号が入力され、前記複数の周波数領域のうち一つの周波数成分を調整信号として通過させるスイッチトキャパシタフィルタ（ＳＣフィルタ）と、前記調整信号のレベルを制御するゲイン調整手段と、レベルが制御された前記調整信号が出力される調整信号出力端子と、前記調整信号出力端子を前記減衰処理手段に接続することで前記調整信号を前記減衰用調整信号として前記減衰処理手段に入力するか、前記調整信号出力端子を前記増幅処理手段に接続することで前記調整信号を前記増幅用調整信号として前記増幅処理手段に入力するか、或いは、前記調整信号出力端子を前記減衰処理手段および前記増幅処理手段のいずれにも接続しないことで前記ＳＣフィルタを前記入力信号ＩＮの信号経路中から除外するか、を選択する選択手段とを少なくともそれぞれ有し、前記複数の周波数領域に応じてそれぞれ設けられた複数の調整手段と、
を備えることを特徴とする音質調整装置。
【請求項２】
請求項１記載の音質調整装置であって、
前記減衰処理手段は、前記入力信号ＩＮと前記調整信号とを加算する第１加算器と、この第１加算器の出力を反転増幅する第１反転増幅器とを有し、
前記増幅処理手段は、前記減衰処理手段から出力された信号及び前記調整信号とを加算する第２加算器と、この第２加算器の出力を反転増幅する第２反転増幅器とを有する音質調整装置。
【請求項３】
請求項１記載の音質調整装置であって、
前記減衰処理手段は、第１演算増幅器と、この第１演算増幅器の入力端子と出力端子との間に設けられた第１帰還抵抗器と、前記入力信号ＩＮが入力される第１入力抵抗器と、前記調整信号が入力される第１調整抵抗器とを有し、
前記増幅処理手段は、第２演算増幅器と、この第２演算増幅器の入力端子と出力端子との間に設けられた第２帰還抵抗器と、前記減衰処理手段から出力された信号が入力される第２入力抵抗器と、前記調整信号が入力される第２調整抵抗器とを有する音質調整装置。
【請求項４】
請求項２または３記載の音質調整装置であって、
前記調整手段は、前記スイッチトキャパシタフィルタの前段にアンチエリアシングフィルタを有し、後段にスムージングフィルタと前記ゲイン調整手段とを直列に有する音質調整装置。
【請求項５】
請求項２または３記載の音質調整装置であって、
前記減衰処理手段の出力が入力され、前記複数の調整手段に共通に信号を出力する、アンチエリアシングフィルタを有している音質調整装置。
【請求項６】
請求項３記載の音質調整装置であって、
前記調整信号が入力される前記第１調整抵抗器及び前記第２調整抵抗器は、それぞれ、抵抗値が調整可能な可変抵抗器である音質調整装置。
【請求項７】
請求項３記載の音質調整装置であって、
前記増幅処理手段の前記第２帰還抵抗器に並列にコンデンサを設けている音質調整装置。
【発明の詳細な説明】
【０００１】
【発明の属する技術分野】
本発明は、音声信号を含む入力信号の振幅を、所定の周波数帯域毎に増減制御することにより、音質の調整を行える音質調整装置に関する。
【０００２】
【従来の技術】
従来から、カーオーディオ、テレビ受像機、マイクロコンポなどのオーディオ機器類においては、一般的に、高音域や低音域などの各周波数帯域毎に、強調や減衰あるいは除去など、サウンド特性をユーザーが操作するための調整可能フィルター回路が、音声信号経路に装備されている。これらの調整可能フィルター回路では、周波数特性を決定する抵抗器ＲやコンデンサＣの所要面積が大きくなり集積化に適さないため、外部部品によりフィルター部を構成しなければならなかった。
【０００３】
そこで、いわゆる「スイッチトキャパシタ（ＳＣ）」フィルタ技法を用いて、大きなチップ取り付け面積を要する音声フィルタをＳＣ構成にて代替した音声信号処理回路が、提案されている（例えば、特開平１０−２３３６５３号公報参照）。
【０００４】
図７は、ＳＣフィルタを用いて構成された、多段フィルタ構成の従来の音質調整装置の構成を示す図である。第１フィルタ部４０は、音声信号経路中に設けられ、演算増幅器ＯＰ等から構成された増幅器４１と、ローパスフィルタで構成されるアンチエリアシングフィルタ４２と、音声フィルタをＳＣ技術で実現したＳＣフィルター部４３と、設定部（分圧抵抗器）４４とで、構成されている。アンチエリアシングフィルタ４２は、ＳＣ技法で実現されるフィルタの前段に、ＳＣ技法における最高周波数より高い周波数域の信号成分を十分に減衰する選択特性を持つフィルタでよく、この意味でローパスフィルタで構成される。同様に、第２フィルタ部５０は、音声信号経路中に設けられ、演算増幅器ＯＰ等から構成された増幅器５１と、ローパスフィルタで構成されるアンチエリアシングフィルタ５２と、抵抗部品をＳＣ技術で実現したＳＣフィルタ部５３と、設定部（分圧抵抗器）５４とで、構成されている。このようなフィルタ部４０，５０が、調整すべき各周波数帯域に応じてそれぞれ設けられる。
【０００５】
この図７の音質調整装置は、代表して第１フィルタ部４０についてみると、分圧抵抗器４４のタップ部の位置設定によりフィルタ部の作用が決まる。抵抗分圧器４４のタップが増幅器４１の出力部に直接に短絡接続できるように設定されている場合には、増幅係数が一定の電圧フォロワーとして作用する。この場合、第１フィルタ部４０は中立設定となり、アンチエリアシングフィルタ４２とＳＣフィルタ部４３は信号経路から分離されているから、アンチエリアシングフィルタ４２とＳＣフィルタ部４３によるノイズ信号が出力信号に付加されることはない。
【０００６】
一方、抵抗分圧器４１のタップが増幅器４１の出力部との間で部分抵抗値を生成できるような設定に変更された場合には、アンチエリアシングフィルタ４２とＳＣフィルタ部４３は信号経路に挿入されることになり、第１フィルタ部４０の周波数特性に影響を与えることになる。すなわち、増幅器４１の出力信号は、アンチエリアシングフィルタ４２、ＳＣフィルタ部４３、抵抗分圧器４４から増幅器４１に負フィードバックされる。
【０００７】
このように図７の音質調整装置では、所定の周波数域における音声信号の振幅を増減制御出来るとともに、中立設定状態においてはアンチエリアシングフィルタ４２、ＳＣフィルタ部４３によるノイズが音声信号に印加されることがない。
【０００８】
【発明が解決しようとする課題】
しかし、従来の音質調整装置では、調整すべき各周波数帯域毎にフィルタ部が形成され、それらが音声信号経路中に縦列して設けられる。したがって、音声帯域の分割数に応じて、演算増幅器ＯＰ等から構成された増幅器やローパスフィルタで構成されるアンチエリアシングフィルタ等が必要となり、周波数帯域を多段に分割する場合に音質調整装置を小型化することが困難である。また、周波数帯域の分割数に応じた数の演算増幅器ＯＰ等が音声信号経路中に縦列接続されることになるから、演算増幅器ＯＰ等のノイズが加算され出力ノイズを増加させ、歪みを大きくする原因となる。この周波数帯域の分割数は、グラフィックイコライザ等を用いる場合には例えば、５〜１２程度に構成されるから、小型化、音質などの点で大きな問題となる。
【０００９】
そこで、本発明は、ＳＣフィルタを用いて所定の周波数帯域毎に音声信号を含む入力信号の振幅を増減制御する音質調整装置において、回路構成部品を削減して小型化を可能にするとともに、信号経路中の演算増幅器などの増幅器を周波数帯域の分割数に関わらず少なくして、出力ノイズを低減し、歪みの悪化を抑制することを、目的とする。
【００１０】
【課題を解決するための手段】
本明細書中に開示されている音質調整装置は、入力信号ＩＮと複数の所定周波数領域の調整信号のうちの選択された減衰用調整信号とが入力され、前記入力信号ＩＮが前記各減衰用調整信号により減衰された信号を発生する減衰処理手段１１と、前記減衰処理手段１１で発生された信号と、複数の所定周波数領域の調整信号のうちの選択された増幅用調整信号が入力され、前記減衰処理手段１１で発生された信号を前記各増幅用調整信号で増幅した信号を発生し、出力信号ＯＵＴとして出力する増幅処理手段１２と、前記減衰処理手段１１で発生された信号が入力され、帯域通過型、低域通過型、或いは高域通過型などの所定の周波数域の周波数成分を調整信号として通過させるスイッチトキャパシタフィルタ（ＳＣフィルタ）１５−１〜１５−３と、このＳＣフィルタ１５−１〜１５−３を通過した調整信号を、前記減衰用調整信号として前記減衰処理手段１１に入力するか、前記増幅用調整信号として前記増幅処理手段１２に入力するか、或いはいずれにも入力しないかを選択する選択手段ＳＷ１〜ＳＷ３とを少なくともそれぞれ有し、分割すべき周波数帯域に応じて設けられた複数の調整手段と、を備えることを特徴とする。
【００１１】
この構成の音質調整装置によれば、信号経路中には、減衰処理手段１１と増幅処理手段１２とを１つずつ設けるとともに、減衰処理手段１１の出力部の信号を複数の周波数帯域毎に設けたＳＣフィルタ１５と選択手段ＳＷとを有する調整手段を設けて、各周波数帯域毎に減衰、中立、或いは増幅を行える。したがって、この音質調整装置によれば、分割された各周波数帯域毎に、強調や減衰（除去）あるいは通過などの制御が可能になるとともに、帯域の分割数に関わらず、減衰処理手段、増幅処理手段などを共用するから、ＳＣフィルタの使用と相俟って、音質調整装置を一層小型化することが出来る。また、信号経路には、帯域の分割数に関わらず、共用される減衰処理手段１１と増幅処理手段１２が設けられるだけであるから、周波数帯域の分割数が多くなった場合でも、信号経路中にノイズ源となる素子数が増えることがないので、出力ノイズが増加することはなく、歪みの悪化を抑制することが出来る。
【００１２】
【発明の実施の形態】
以下、図面を参照して、本発明の音質調整装置に係る実施の形態について説明する。
【００１３】
図１は、本発明の第１の実施の形態にかかる音質調整装置の構成を示す図であり、図２は各周波数帯域毎の利得特性の調整状況を模式的に示す図である。なお、この実施の形態では、周波数帯域を３つに区分した例を示しているが、勿論この数に限ることなく、任意の数の帯域に分割することが出来る。また、各実施の形態では、音声信号の調整について説明するが、本発明は音声信号に限ることなく、その他の信号にも同様に適用することができる。
【００１４】
図１において、処理されるべき音声入力信号ＩＮが入力される減衰処理手段１１と、処理された音声出力信号ＯＵＴが出力される増幅処理手段１２が、音声信号経路中に直列に設けられている。また、図示していないが、入力信号ＩＮを入力する入力手段、及び出力信号ＯＵＴを出力する出力手段が、それぞれ入力側、出力側に設けられている。
【００１５】
減衰処理手段１１は、音声入力信号ＩＮと、周波数帯域の分割数に応じた調整信号のうち選択された減衰用調整信号とを加算器１１−１で加算し、この加算された結果を増幅度１の反転増幅器１１−２を介して出力する。
【００１６】
増幅処理手段１２は、減衰処理手段１１の出力信号と、周波数帯域の分割数に応じた調整信号のうち選択された増幅用調整信号とを加算器１２−１で加算し、この加算された結果を増幅度１の反転増幅器１２−２を介して音声出力信号ＯＵＴとして出力する。
【００１７】
第１〜第３調整手段１３−１〜１３−３は、前記減衰処理手段１１で発生された信号が入力され音声信号の特定の周波数域の信号を調整して、減衰処理手段１１または増幅処理手段１２に供給するものであり、音声信号の周波数帯域の分割数に応じて設けられる。
【００１８】
第１調整手段１３−１は、アンチエリアシングフィルタ１４−１、ＳＣフィルタ１５−１、スムージングフィルタ１６−１、ゲイン調整手段１７−１、選択スイッチＳＷ１が、この順序で直列に接続されて、構成されている。アンチエリアシングフィルタ１４−１は、ＳＣ技法における最高周波数より高い周波数域の信号成分を十分に減衰する選択特性を持つローパスフィルタでよい。
【００１９】
ＳＣフィルタ１５−１は、帯域通過型、低域通過型、或いは高域通過型などの所定の周波数特性を有しており、各々の周波数域の周波数成分を調整信号として通過させる。スムージングフィルタ１６−１は、ＳＣフィルタ１５−１のスイッチングにより発生した高調波成分を除去する特性を持つローパスフィルタである。ゲイン調整手段１７−１は、減衰処理手段１１や増幅処理手段１２に供給する調整信号のレベルを制御する。また、選択スイッチＳＷ１は、レベル制御された調整信号を、減衰用調整信号として減衰処理手段１１に入力するか、増幅用調整信号として増幅処理手段１２に入力するか、或いはいずれにも入力しない中立位置とするかを選択する。また、第２調整手段１３−２、第３調整手段１３−３については、ＳＣフィルタで設定される周波数特性が異なるのみで、第１調整手段１３−１と同様に構成される。なお、簡単化するためにその説明を省略する。
【００２０】
さて、以上のように構成されている音質調整装置の動作について説明する。なお、調整手段としては第１調整手段１３−１を中心に説明する。
【００２１】
選択スイッチＳＷ１が接点ａに接続され、第１調整手段１３−１の調整信号が減衰処理手段１１にフィードバックされる状態にセットされているときには、音声入力信号ＩＮに減衰処理手段１１の加算器１１−１でフィードバックされた調整信号が加算され、反転増幅器１１−２から出力される。この反転増幅器１１−２の出力が第１調整手段１３−１において、特定の周波数帯域の音声信号が例えば帯域通過特性のＳＣフィルタ１４−１を通過し、通過した特定の周波数帯域の音声信号のレベルがゲイン調整手段１７−１で調整されて、調整信号となる。この場合には、選択スイッチＳＷ１が接点ａに接続されているから、この調整信号が減衰用調整信号として加算器１１−１にフィードバックされる。
【００２２】
このように反転増幅器１１−２で反転増幅した信号を第１調整手段１３−１で制御調整して、加算器１１−１に供給しているから、加算器１１−１と反転増幅器１１−２は減衰処理を行うことになる。
【００２３】
つぎに、選択スイッチＳＷ１が接点ｂに接続され、第１調整手段１３−１の調整信号が増幅処理手段１１に供給される状態にセットされているときには、反転増幅器１１−２の出力が第１調整手段１３−１において同様に調整され、その調整信号が、選択スイッチＳＷ１の接点ｂを通って増幅用調整信号として、増幅処理手段１２の加算器１２−１に供給される。この加算器１２−１の加算信号が、反転増幅器１２−２で反転増幅されて音声出力信号ＯＵＴになる。
【００２４】
このように反転増幅器１１−２で反転増幅した信号を、直接及び第１調整手段１３−１で制御調整して、それぞれ加算器１２−１に供給して加算し、さらに反転増幅器１２−２で反転増幅しているから、増幅処理手段１２−２からは増幅処理され、かつ音声入力信号と同位相関係の音声出力信号ＯＵＴが出力されることになる。
【００２５】
つぎに、選択スイッチＳＷ１が接点ｃに接続され、中立状態にセットされている時には、第１調整手段１３−１の調整信号は、減衰処理手段１１にも増幅処理手段１２にも供給されないから、この場合には、減衰処理手段１１で反転増幅された音声入力信号ＩＮが、増幅処理手段１２で再び反転増幅されるから、実質的に音声入力信号ＩＮがそのまま出力されることになる。以上の各動作は、他の第２，第３調整手段１３−２，１３−３についても同様である。
【００２６】
したがって、音声信号の周波数帯域の分割数に応じて設けられた、第１〜第３調整手段１３−１〜１３−３の、選択スイッチＳＷ１〜ＳＷ３の接続設定状態、すなわち減衰処理手段１１へ接続、中立位置への設定、或いは増幅処理手段１２へ接続、によって、分割された特定周波数帯域毎の強調、不変、減衰が選択的に行われ、またその強調、減衰の程度もゲイン調整手段１７−１〜１７−３での調整により、任意に調整することが出来る。
【００２７】
各周波数帯域毎の調整状況を、周波数ｆ−利得Ｇｖの利得特性で模式的に図２に示している。ここでは各ＳＣフィルタ１５−１〜１５−３を帯域通過特性のものとして表しており、選択スイッチＳＷ１〜ＳＷ３の接続設定状態とゲイン調整手段１７−１〜１７−３での調整により、各周波数帯域毎の利得特性をそれぞれ任意に強調あるいは減衰したり、または不変とすることができることを示している。
【００２８】
図３は、ＳＣフィルタ１５の構成例を帯域通過特性のものについて示す図であり、図４（ａ）、（ｂ）はその特性を例示する図である。
【００２９】
図３において、第１演算増幅器ＯＰａの反転入力端子に、入力がコンデンサＣ１を介して供給され、この第１演算増幅器ＯＰａの反転入力端子と出力端子間にコンデンサＣａが接続され、その非反転入力端子は基準電位点に接続される。第２演算増幅器ＯＰｂの反転入力端子に、第１演算増幅器ＯＰａの出力端子がスイッチＳ１，コンデンサＣ２、スイッチＳ２を介して接続され、この第２演算増幅器ＯＰｂの反転入力端子と出力端子間にコンデンサＣｂが接続され、その非反転入力端子は基準電位点に接続される。コンデンサＣ２の両端はそれぞれ、スイッチＳ３，スイッチＳ４を介して基準電位点に接続される。また、第１演算増幅器ＯＰａの反転入力端子と第２演算増幅器ＯＰｂの出力端子との間に、コンデンサＣ４が接続され、さらにスイッチＳ５，コンデンサＣ３、スイッチＳ６を介して接続されており、コンデンサＣ３の両端はそれぞれ、スイッチＳ７，スイッチＳ８を介して基準電位点に接続される。
【００３０】
スイッチＳ２，スイッチＳ３、スイッチＳ５、スイッチＳ６はクロック信号φ１で駆動され、スイッチＳ１，スイッチＳ４、スイッチＳ７、スイッチＳ８はクロック信号φ２で駆動される。これらクロック信号φ１、φ２は、相補信号として、かつ両クロック信号の高位期間（スイッチオン期間）が互いにオーバーラップしないように形成される。
【００３１】
このように構成されたＳＣフィルタ１５の各スイッチＳ１〜Ｓ８をクロック信号φ１，φ２によりスイッチングすることにより、所定のフィルタ特性が得られる。そのフィルタ特性も調整することが出来、例えば、コンデンサＣ２，Ｃ３を大きく或いは小さくすることにより、図４（ａ）に示すように、そのフィルタ特性の中心周波数ｆ０を高く或いは低くすることが出来る。また、コンデンサＣ１，Ｃ４を大きく或いは小さくすることにより、図４（ｂ）に示すように、そのフィルタ特性の選択度Ｑを小さく或いは大きくすることが出来る。
【００３２】
この第１の実施の形態にかかる音質調整装置によれば、分割された各周波数帯域毎に、強調、減衰（除去）、通過などの制御が可能であるとともに、帯域の分割数に関わらず、減衰処理手段１１、増幅処理手段１２を共用するから、ＳＣフィルタの使用と相俟って、音質調整装置を一層小型化することが出来る。また、音声信号経路には、帯域の分割数に関わらず、共用される減衰処理手段１１と増幅処理手段１２が設けられるだけであるから、音声帯域の分割数が多くなった場合でも、音声信号の主信号経路中にノイズ源となる素子数が増えることがないので、出力ノイズが増加することはなく、歪みの悪化を抑制することが出来る。
【００３３】
さらに、中立位置に設定した調整手段１３については、ＳＣフィルタ１５、アンチエリアシングフィルタ１４等は、音声信号経路中から除外されるので、さらにノイズを低減することが出来る。
【００３４】
したがって、この音質調整装置を作り込む半導体集積回路装置自体を小型化でき、フィルタのための外付け部品も不要とすることが出来るから、カーオーディオ、テレビ受像機、マイクロコンポなどセット基板のスペースに制約のあるオーディオ機器類に有効に適用することが出来る。
【００３５】
図５（ａ）は、本発明の第２の実施の形態にかかる音質調整装置の構成を示す図であり、同図（ｂ）は増幅処理手段２２の構成を示す図である。
【００３６】
この図５（ａ）（ｂ）の第２の実施の形態においては、図１の第１の実施の形態におけるアンチエリアシングフィルタ１４−１〜１４−３に代えて、各調整手段に対して共通にアンチエリアシングフィルタ２４を設け、減衰処理手段１１の出力をアンチエリアシングフィルタ２４を介して各ＳＣフィルタ１５−１〜１５−３にそれぞれ供給する。アンチエリアシングフィルタは、ＳＣ技法で実現されるフィルタの前段に、ＳＣ技法における最高周波数より高い周波数域の信号成分を十分に減衰するために設けられ、ローパスフィルタで構成されるから、共通化することが出来る。この共通化は、本発明にしたがって、各調整手段を並列接続する構成において、取り得ることである。
【００３７】
また、この図５（ａ）（ｂ）の第２の実施の形態においては、図１の第１の実施の形態におけるスムージングフィルタ１６−１〜１６−３を除去し、その機能を増幅処理手段２２に持たせている。同図（ｂ）は、増幅処理手段２２を示す図であり、加算器２２−１と反転増幅器２２−２を含んでいる。
【００３８】
この増幅処理手段２２は、演算増幅器ＯＰ２２の反転入力端子に入力抵抗Ｒｓ２２を介して減衰処理された信号が入力され、その反転入力端子と出力端子間に帰還抵抗Ｒｆ２２が接続される。その反転入力端子には、それぞれ選択スイッチＳＷ１〜ＳＷ３の接点ｂに接続された抵抗器Ｒａ２２−１〜Ｒａ２２−３が接続されている。また、演算増幅器ＯＰ２２の非反転入力端子は基準電位点に接続されている。さらに、帰還抵抗Ｒｆ２２に並列に帰還コンデンサＣｆ２２を接続することにより、増幅処理手段２２にローパスフィルタの機能をも持たせることで、独立のスムージングフィルタを不要としている。なお、その他の構成は、図１の第１の実施の形態と同様であり、対応する構成要素には同一の符号を付しており、再度の説明は省略する。
【００３９】
図６は、本発明の第３の実施の形態にかかる音質調整装置の構成を示す図である。この第３の実施の形態においては、減衰調整手段３１及び増幅調整手段３２を具体化するとともに、図１の第１の実施の形態における利得調整手段１７−１〜１７−３を除去し、その機能を減衰調整手段３１及び増幅調整手段３２に取り込んでいる。その他の構成は、図１の第１の実施の形態と同様であり、対応する構成要素には同一の符号を付している。
【００４０】
図６において、減衰処理手段３１は、演算増幅器ＯＰ３１の反転入力端子に入力抵抗Ｒｓ３１を介して音声入力信号が入力され、その反転入力端子と出力端子間に帰還抵抗Ｒｆ３１が接続される。その反転入力端子には、それぞれ選択スイッチＳＷ１〜ＳＷ３の接点ａに接続された可変抵抗器Ｒｖ３１−１〜Ｒｖ３１−３が接続されている。また、演算増幅器ＯＰ３１の非反転入力端子は基準電位点に接続されている。ここで、入力抵抗Ｒｓ３１と帰還抵抗Ｒｆ３１とを等しい抵抗値とすることで増幅度１の反転増幅器として機能し、また可変抵抗器Ｒｖ３１−１〜Ｒｖ３１−３の抵抗値を変化させることでゲイン調整手段として機能させることが出来る。
【００４１】
また、同様に、増幅処理手段３２は、演算増幅器ＯＰ３２の反転入力端子に入力抵抗Ｒｓ３２を介して減衰処理された信号が入力され、その反転入力端子と出力端子間に帰還抵抗Ｒｆ３２が接続される。その反転入力端子には、それぞれ選択スイッチＳＷ１〜ＳＷ３の接点ｂに接続された可変抵抗器Ｒｖ３２−１〜Ｒｖ３２−３が接続されている。また、演算増幅器ＯＰ３２の非反転入力端子は基準電位点に接続されている。ここで、入力抵抗Ｒｓ３２と帰還抵抗Ｒｆ３２とを等しい抵抗値とすることで増幅度１の反転増幅器として機能し、また可変抵抗器Ｒｖ３２−１〜Ｒｖ３２−３の抵抗値を変化させることでゲイン調整手段として機能させることが出来る。
【００４２】
なお、さらに図５の第２の実施の形態におけると同様に、アンチエリアシングフィルタを共通化すること、スムージングフィルタを除去して増幅処理手段３２にその機能を持たせることも出来る。
【００４３】
これら第２、第３の実施の形態によれば、第１の実施の形態におけると同様の効果を得ることが出来るとともに、さらに小型化を図ることが出来る。
【００４４】
【発明の効果】
本明細書中に開示されている音質調整装置によれば、分割された各周波数帯域毎に、強調や減衰（除去）あるいは通過などの制御が可能になるとともに、帯域の分割数に関わらず、減衰処理手段、増幅処理手段などを共用するから、ＳＣフィルタの使用と相俟って、音質調整装置を一層小型化することが出来る。また、信号経路には、帯域の分割数に関わらず、共用される減衰処理手段と増幅処理手段が設けられるだけであるから、帯域の分割数が多くなった場合でも、信号経路中にノイズ源となる素子数が増えることがないので、出力ノイズが増加することはなく、歪みの悪化を抑制することが出来る。
【図面の簡単な説明】
【図１】本発明の第１の実施の形態にかかる音質調整装置の構成図。
【図２】周波数帯域毎の利得特性の調整状況を模式的に示す図。
【図３】ＳＣフィルタの構成例を示す図。
【図４】ＳＣフィルタの特性を例示する図。
【図５】本発明の第２の実施の形態にかかる音質調整装置の構成図。
【図６】本発明の第３の実施の形態にかかる音質調整装置の構成図。
【図７】従来の音質調整装置の構成図。
【符号の説明】
１１、３１  減衰処理手段
１１−１  加算器
１１−２  反転増幅器
１２、２２、３２  増幅処理手段
１２−１、２２−１  加算器
１２−２、２２−２  反転増幅器
１３−１〜１３−３  調整手段
１４−１〜１４−３、２４  アンチエリアシングフィルタ
１５−１〜１５−３  ＳＣフィルタ
１６−１〜１６−３  スムージングフィルタ
１７−１〜１７−３  ゲイン調整手段
ＳＷ１〜ＳＷ３  選択手段
【図１】
0004674976.tif 000002
【図２】
0004674976.tif 000003
【図３】
0004674976.tif 000004
【図４】
0004674976.tif 000005
【図５】
0004674976.tif 000006
【図６】
0004674976.tif 000007
【図７】
0004674976.tif 000008